(57)【要約】【課題】ケーキを載せたとき立ち上がり片がケーキの側面に沿うように配置することができ、ケーキに蓋を被せる作業を容易かつ能率良く行うことができるケーキ用台座シートを提供する。【解決手段】ケーキ用台座シート１０は、円形状をなすデコレーションケーキが切り分けられたケーキ１１を置くために用いられる。平面扇状に形成された台座本体１２の両側縁には折曲げ線１３で折曲げられて形成された立ち上がり片１４を有している。台座本体１２には、折曲げ線１３に沿って延びる山折りの折り目線１６が形成されている。折り目線１６により形成される台座本体１２の傾斜面１７と立ち上がり片１４とのなす上面側の角度αは８０〜９０°であることが好ましい。【選択図】図１
2012035882.tif 000002
【特許請求の範囲】
【請求項１】
切り分けられたケーキを置くために用いられ、平面扇状に形成された台座本体の両側縁には折曲げ線で折曲げられて形成された立ち上がり片を有するケーキ用台座シートであって、
前記台座本体には、折曲げ線に沿って延びる山折りの折り目線が形成されていることを特徴とするケーキ用台座シート。
【請求項２】
前記折り目線により形成される台座本体の傾斜面と立ち上がり片とのなす上面側の角度は８０〜９０°であることを特徴とする請求項１に記載のケーキ用台座シート。
【請求項３】
前記折り目線は、立ち上がり片を形成する両折曲げ線間の中央部を通るように設けられていることを特徴とする請求項１又は請求項２に記載のケーキ用台座シート。
【請求項４】
前記折り目線の両側に形成される台座本体の両傾斜面のなす下面側の角度は１２０〜１３０°であることを特徴とする請求項３に記載のケーキ用台座シート。
【請求項５】
前記折り目線は、立ち上がり片を形成する両折曲げ線に沿うように一対設けられていることを特徴とする請求項１又は請求項２に記載のケーキ用台座シート。
【発明の詳細な説明】
【技術分野】
【０００１】
本発明は、例えば円形状のデコレーションケーキを８〜１２等分に切り分けた各々のケーキを載せるためのケーキ用台座シートに関するものである。
【背景技術】
【０００２】
ケーキ類は運搬時や移動時における取扱いを容易にするために特許文献１に記載されているような台紙の上に載せられるか、或いは専用の収容容器に収容される。円形状をなすデコレーションケーキは、そのままでも販売されるが、例えば８〜１２等分に切り分けた状態でも販売される。切り分けた状態で販売されるケーキは、個々に台紙の上に載せられる。
【０００３】
この場合、図６（ａ）に示すような台紙２１が用いられる。すなわち、かかる台紙２１は、平面扇状に形成された平坦な台紙本体２２の両側縁に折曲げ線２３で折曲げられて形成された立ち上がり片２４を有している。そして、図６（ｂ）に示すように、この台紙本体２２上にケーキ２５を載せたとき、両立ち上がり片２４がケーキ２５の側面２５ａに対向するように配置される。
【先行技術文献】
【特許文献】
【０００４】
【特許文献１】実用新案登録第３１０６１７８号公報
【発明の概要】
【発明が解決しようとする課題】
【０００５】
ところが、台紙本体２２と立ち上がり片２４とのなす角度は常に直角に維持されるわけではなく、紙の性質上立ち上がり片２４の上部側が外方へ開く傾向がある。このため、図６（ｂ）に示すように、切り分けられたケーキ２５を台紙本体２２上に載せたとき、立ち上がり片２４はケーキ２５の側面２５ａに対して上方ほど離れるように傾斜して配置される。その結果、ケーキ２５の上方から蓋２６を被せたとき、蓋２６が立ち上がり片２４に干渉する。そのため、蓋２６を一旦持ち上げ、立ち上がり片２４を指で内側へ押さえながら蓋２６を被せなければならず、取扱いが面倒であるとともに、作業能率が悪いという問題があった。
【０００６】
本発明は、このような従来技術に存在する問題点に着目してなされたものであり、その目的とするところは、ケーキを載せたとき立ち上がり片がケーキの側面に沿うように配置することができ、ケーキに蓋を被せる作業を容易かつ能率良く行うことができるケーキ用台座シートを提供することにある。
【課題を解決するための手段】
【０００７】
上記の目的を達成するために、請求項１に記載のケーキ用台座シートは、切り分けられたケーキを置くために用いられ、平面扇状に形成された台座本体の両側縁には折曲げ線で折曲げられて形成された立ち上がり片を有するものである。そして、前記台座本体には、折曲げ線に沿って延びる山折りの折り目線が形成されていることを特徴とする。
【０００８】
請求項２に記載のケーキ用台座シートは、請求項１に係る発明において、前記折り目線により形成される台座本体の傾斜面と立ち上がり片とのなす上面側の角度は８０〜９０°であることを特徴とする。
【０００９】
請求項３に記載のケーキ用台座シートは、請求項１又は請求項２に係る発明において、前記折り目線は、立ち上がり片を形成する両折曲げ線間の中央部を通るように設けられていることを特徴とする。
【００１０】
請求項４に記載のケーキ用台座シートは、請求項３に係る発明において、前記折り目線の両側に形成される台座本体の両傾斜面のなす下面側の角度は１２０〜１３０°であることを特徴とする。
【００１１】
請求項５に記載のケーキ用台座シートは、請求項１又は請求項２に係る発明において、前記折り目線は、立ち上がり片を形成する両折曲げ線に沿うように一対設けられていることを特徴とする。
【発明の効果】
【００１２】
本発明によれば、次のような効果を発揮することができる。
請求項１に係る発明のケーキ用台座シートでは、平面扇状に形成された台座本体の両側縁には折曲げ線で折曲げられて形成された立ち上がり片を有し、台座本体には折曲げ線に沿って延びる山折りの折り目線が形成されている。このため、台座本体上にケーキを載せたときには、山折りとなる折り目線が押さえられることにより、立ち上がり片が折曲げ線を中心にして内側すなわちケーキの側面側へ倒れる。従って、立ち上がり片はケーキの側面に近づき、ケーキの側面に沿って配置される。
【００１３】
よって、本発明のケーキ用台座シートによれば、ケーキを載せたとき立ち上がり片がケーキの側面に沿うように配置することができ、ケーキに蓋を被せる作業を容易かつ能率良く行うことができる。
【図面の簡単な説明】
【００１４】
【図１】（ａ）は本発明の第１実施形態におけるケーキ用台座シートを示す斜視図、（ｂ）はケーキ用台座シートの台座本体上の折り目線にケーキの底面が触れた状態を示す正面図、（ｃ）は台座本体上にケーキを載せて折り目線を押えた状態を示す正面図。
【図２】（ａ）はケーキ用台座シートの台座本体上にケーキを載せた状態を示す斜視図、（ｂ）は（ａ）の状態で蓋を被せた状態を示す正面図。
【図３】ケーキ用台座シートを示す平面図。
【図４】（ａ）は第２実施形態のケーキ用台座シートを示す斜視図、（ｂ）は台座本体上にケーキを載せた状態を示す正面図。
【図５】（ａ）はケーキ用台座シートの別例を示す平面図、（ｂ）はケーキ用台座シートのさらに別例を示す正面図。
【図６】（ａ）は従来のケーキ用台座シートを示す斜視図、（ｂ）は台座本体上にケーキを載せた後、蓋を被せる状態を示す正面図。
【発明を実施するための形態】
【００１５】
（第１実施形態）
以下、本発明を具体化した第１実施形態を図１〜図３に基づいて詳細に説明する。
第１本実施形態におけるケーキ用台座シートは、円形状をなすデコレーションケーキが切り分けられたケーキを置くために用いられる。デコレーションケーキが切り分けられるときには、通常５〜１２等分、多くは８〜１２等分される。図２（ａ）に示すように、切り分けられたケーキ１１は、平面扇状をなしている。従って、図１（ａ）に示すように、切り分けられたケーキ１１を載せるケーキ用台座シート１０も平面扇状をなしている。
【００１６】
図１（ａ）、（ｂ）に示すように、ケーキ用台座シート１０は、ケーキ１１が載せられる平面扇状の台座本体１２と、該台座本体１２の両側縁に折曲げ線１３で折曲げられて形成された立ち上がり片１４とより一体的に構成されている。立ち上がり片１４の上縁には、波型状をなす装飾部１５が形成されている。このケーキ用台座シート１０は、上質紙、中質紙、ロール紙、樹脂が含浸された紙、剥離機能を有する紙等の紙のほか、ポリエチレン（ＰＥ）、ポリエチレンテレフタレート（ＰＥＴ）等の樹脂シートで形成されている。
【００１７】
図３に示すように、前記両折曲げ線１３間のなす角度θは、円形状のデコレーションケーキを例えば８等分したケーキ１１を載せる場合には４５°、１０等分したケーキ１１を載せる場合には３６°、１２等分したケーキ１１を載せる場合には３０°に設定される。また、折曲げ線の長さは、６０〜１２０ｍｍ（４号のケーキ用から８号のケーキ用）に設定される。
【００１８】
ケーキ用台座シート１０の目付量は２５〜７０ｇ／ｍ２であることが好ましく、厚みは２０〜１５０μｍであることが好ましい。目付量が２５ｇ／ｍ２を下回る場合又は厚みが２０μｍを下回る場合には、ケーキ用台座シート１０の形状を保持することが難しくなるとともに、取扱いも難しくなって好ましくない。その一方、目付量が７０ｇ／ｍ２を上回る場合又は厚みが１５０μｍを上回る場合には、ケーキ用台座シート１０が重く、硬くなって取扱性が悪くなる。
【００１９】
図１（ａ）及び（ｂ）に示すように、台座本体１２には、扇の要から前記立ち上がり片１４を形成する折曲げ線１３間の中央部を通るように外周に向かって延びる山折りの折り目線１６が形成されている。この折り目線１６及び前記折曲げ線１３は、プレス加工により同時に形成されている。プレス加工は、所定形状のプレス金型を用い、ケーキ用台座シート１０の素材シートを数十枚重ね、５．５〜６．０ＭＰａのプレス圧にて行われる。台座本体１２に折り目線１６を設けることにより、台座本体１２上にケーキ１１を載せたときその底面１１ｂが山折りの折り目線１６を押え、両立ち上がり片１４を内側へ傾倒させるようになっている。
【００２０】
前記折り目線１６により形成される台座本体１２の傾斜面１７と立ち上がり片１４とのなす上面側の角度αは９０°以下であることが好ましく、８０〜９０°であることがさらに好ましい。この角度αが９０°より大きい場合には、台座本体１２上にケーキ１１を載せて折り目線１６を押さえたとき、立ち上がり片１４が折曲げ線１３を中心にして内側へ十分に倒れ難くなる。
【００２１】
また、折り目線１６を中心とする両傾斜面１７間の下面側の角度βは１２０〜１３０°であることが好ましい。この角度βが１２０°より小さい場合、台座本体１２の幅が狭くなり、台座本体１２上にケーキ１１を載せるときに載せ難くなったりする問題が生じて好ましくない。その一方、１３０°より大きい場合、台座本体１２上にケーキ１１を載せて折り目線１６を押圧したとき、立ち上がり片１４が折曲げ線１３を中心にして内側へ倒れる角度が小さく、立ち上がり片１４をケーキ１１の側面１１ａに十分近づけることができなくなる。
【００２２】
なお、前記角度α、βはそれぞれプレス加工におけるプレス金型に設定される角度によって形成されるが、金型の角度は前記角度α、βよりそれぞれ小さく設定される。すなわち、プレス加工後にはケーキ用台座シート１０は紙の性質により形状が開くように変形することを考慮して設定される。
【００２３】
次に、第１実施形態のケーキ用台座シート１０について作用を説明する。
さて、図１（ｂ）に示すように、ケーキ用台座シート１０の台座本体１２上にケーキ１１を載せる前には、両立ち上がり片１４は両外側方へ開いていることから、台座本体１２上にケーキ１１を速やかに載せることができる。そして、ケーキ１１の底面１１ｂが台座本体１２の折り目線１６に当たって台座本体１２を押圧する。すると、図１（ｃ）に示すように、台座本体１２は平坦な形状に近づくと同時に、両立ち上がり片１４は前記角度αを維持しようとするため各折曲げ線１３を中心にして内側へ倒れる。
【００２４】
そして、図２（ａ）、（ｂ）に示すように、台座本体１２上へケーキ１１を載せ終わったときには、両立ち上がり片１４はケーキ１１の側面１１ａに軽く接触した状態で立設配置される。従って、図２（ｂ）に示すように、その後ケーキ１１の上方から蓋１８を被せるとき、その蓋１８は立ち上がり片１４に触れることなく装着することができる。
【００２５】
以上の第１実施形態によって発揮される効果を以下にまとめて記載する。
（１）本第１実施形態のケーキ用台座シート１０では、台座本体１２の両側縁には折曲げ線１３で折曲げられて形成された立ち上がり片１４を有し、台座本体１２には折曲げ線１３に沿って延びる山折りの折り目線１６が形成されている。このため、台座本体１２上にケーキ１１を載せたときには、山折りの折り目線１６が押さえられることにより、立ち上がり片１４が折曲げ線１３を中心にして内側すなわちケーキ１１の側面１１ａ側へ傾倒する。従って、立ち上がり片１４はケーキ１１の側面１１ａに近づき、ケーキ１１の側面１１ａに沿って配置される。
【００２６】
よって、第１実施形態のケーキ用台座シート１０によれば、台座本体１２上にケーキ１１を載せるだけで立ち上がり片１４がケーキ１１の側面１１ａに沿うように簡単に配置することができ、ケーキ１１に蓋１８を被せる作業を容易かつ能率良く行うことができる。
（２）折り目線１６により形成される台座本体１２の両傾斜面１７と両立ち上がり片１４とのなす上面側の角度αはそれぞれ８０〜９０°に設定されている。このため、台座本体１２上にケーキ１１を載せたときに立ち上がり片１４を内側へ十分に倒すことができ、ケーキ１１の側面１１ａに容易に沿わせることができる。
（３）折り目線１６は、立ち上がり片１４を形成する両折曲げ線１３間の中央部を通るように設けられている。従って、ケーキ用台座シート１０は簡単な構成で、ケーキ１１を載せたときに両立ち上がり片１４をバランス良く内側へ傾倒させてケーキ１１の側面１１ａに沿わせることができる。
（４）折り目線１６の両側に形成される台座本体１２の両傾斜面１７のなす下面側の角度βは１２０〜１３０°に設定されている。このため、台座本体１２上にケーキ１１を載せたとき、立ち上がり片１４を内側に傾倒させる力を有効に働かせることができる。
（５）折り目線１６及び折曲げ線１３は、プレス加工により同時に形成されることから、折り目線１６及び折曲げ線１３を有するケーキ用台座シート１０を効率的に作製することができる。
（第２実施形態）
次に、本発明を具体化した第２実施形態を図４に基づいて詳細に説明する。
【００２７】
図４（ａ）及び（ｂ）に示すように、台座本体１２の折り目線１６は、扇の要から両立ち上がり片１４を形成する両折曲げ線１３の近傍を通るように一対設けられている。両折り目線１６によって形成される傾斜面１７と立ち上がり片１４とのなす上面側の角度αは、第１実施形態のケーキ用台座シート１０と同様に好ましくは９０°以下、さらに好ましくは８０〜９０°に設定される。また、台座本体１２と両傾斜面１７とのなす角度γは、好ましくは１５０〜１５５°に設定される。
【００２８】
さて、図４（ｂ）に示すように、台座本体１２上にケーキ１１を載せると、ケーキ１１の底面１１ｂが台座本体１２を押圧する。このとき、台座本体１２は平坦な形状に近づくと同時に、両立ち上がり片１４は前記角度αを保持しようとするため各折曲げ線１３を中心にして内側へ倒れる。そして、台座本体１２上へケーキ１１を載せ終わったときには、両立ち上がり片１４はケーキ１１の側面１１ａに接触するように立設配置される。従って、その後ケーキ１１の上方から前述の蓋１８を被せると、その蓋１８は立ち上がり片１４に触れることなく装着することができる。
【００２９】
よって、第２実施形態のケーキ用台座シート１０によれば、各折り目線１６がそれぞれ折曲げ線１３の近傍位置に設けられていることから、台座本体１２上にケーキ１１を載せたときに立ち上がり片１４を内側に有効に傾倒させることができるとともに、その傾倒状態を十分に保持することができる。
【００３０】
なお、前記各実施形態を次のように変更して具体化することも可能である。
・  図５（ａ）に示すように、第１実施形態における折り目線１６の中間部から両折曲げ線１３に沿うように２本の分岐折り目線１６ａを設けることもできる。このように構成した場合、折り目線１６及び各分岐折り目線１６ａが折曲げ線１３に沿うように設けられていることから、折り目線１６及び各分岐折り目線１６ａによる効果を有効に発揮させることができる。
【００３１】
・  図５（ｂ）に示すように、第１実施形態における折り目線１６を、両折曲げ線１３間において２本設けるように構成することができる。この場合、折り目線１６による効果を向上させることができる。
【００３２】
・  前記折り目線１６は、折曲げ線１３に沿って延びておればよく、平面扇状をなす台座本体１２の扇の要の部分を通らなくてもよい。また、折り目線１６は途中で途切れるように間欠的に設けることもできる。
【００３３】
・  前記折り目線１６を断面円弧状等に形成することもできる。
・  前記立ち上がり片１４の上縁に形成されている波型状の装飾部１５を省略することができ、或いは山型状等の他の装飾部１５を形成することができる。
【００３４】
さらに、前記各実施形態より把握できる技術的思想について以下に記載する。
（イ）前記折り目線及び折曲げ線は、プレス加工により同時に形成されていることを特徴とする請求項１から請求項５のいずれか１項に記載のケーキ用台座シート。このように構成した場合、請求項１から請求項５のいずれかに係る発明の効果に加えて、折り目線及び折曲げ線を有するケーキ用台座シートを効率良く作製することができる。
【符号の説明】
【００３５】
１０…ケーキ用台座シート、１１…ケーキ、１２…台座本体、１３…折曲げ線、１４…立ち上がり片、１６…折り目線、１７…傾斜面、α、β…角度。
【図１】
2012035882.tif 000003
【図２】
2012035882.tif 000004
【図３】
2012035882.tif 000005
【図４】
2012035882.tif 000006
【図５】
2012035882.tif 000007
【図６】
2012035882.tif 000008